(57)【要約】【課題】単純な構成で個性的なコメントを画像に書き込むことのできるカメラ、撮影方法及びプログラムを提供する。【解決手段】画像を撮影する撮影手段と、撮影手段によって撮影された第１の画像から二値化画像を生成する二値化手段（２５）と、二値化画像から、その一方の輝度の画像を取出して第２の画像を生成する画像取出手段（２６）と、第２の画像を加工して第３の画像を生成する画像加工手段（２６）と、撮影手段によって別に撮影された第４の画像と、上記第３の画像とを合成して第５の画像を形成する画像形成手段（２８）とを有するカメラである。【選択図】図４
2007142564.tif 000002
【特許請求の範囲】
【請求項１】
画像を撮影する撮影手段と、
上記撮影手段によって撮影された第１の画像から二値化画像を生成する二値化手段と、
上記二値化画像から、その一方の輝度の画像を取出して第２の画像を生成する画像取出手段と、
上記第２の画像を加工して第３の画像を生成する画像加工手段と、
上記撮影手段によって別に撮影された第４の画像と、上記第３の画像とを合成して第５の画像を形成する画像形成手段と
を有することを特徴とするカメラ。
【請求項２】
上記画像加工手段は、上記第２の画像に色彩を付して上記第３の画像を生成することを特徴とする請求項１に記載のカメラ。
【請求項３】
上記二値化手段は、二値化のための閾値を切換える閾値切換手段を有し、
上記閾値切換による二値化画像の生成操作をサポートする操作支援手段を更に有することを特徴とする請求項１に記載のカメラ。
【請求項４】
上記二値化画像から取出された一方の輝度の画像を、二値以外の色を用いて表示する表示制御手段を有することを特徴とする請求項１に記載のカメラ。
【請求項５】
コメントを入力するコメント入力手段と、撮影の日時又は位置情報を記録可能な撮影手段と、上記コメントと撮影された画像とを合成する合成手段と、からなるカメラにおいて、
上記コメントに関する情報を、上記合成された画像に関連付け、上記コメントから上記合成画像を検索可能とした検索手段を有することを特徴とするカメラ。
【請求項６】
上記検索手段は、上記コメントからの検索時には、そのコメントが合成されたもとの撮影画像と同じ条件で撮影された画像を上記撮影の日時又は位置情報に基づいて検索し、検索した画像を一覧表示可能としたことを特徴とする請求項６に記載のカメラ。
【請求項７】
画像を撮影する撮影ステップと、
上記撮影ステップによって撮影された第１の画像から二値化画像を生成する二値化ステップと、
上記二値化画像から、その一方の輝度の画像を取出して第２の画像を生成する画像取出ステップと、
上記第２の画像を加工して第３の画像を生成する画像加工ステップと、
上記撮影ステップによって別に撮影された第４の画像と、上記第３の画像とを合成して第５の画像を形成する画像形成ステップと
を有することを特徴とする撮影方法。
【請求項８】
画像を撮影する撮影ステップと、
上記撮影ステップによって撮影された第１の画像から二値化画像を生成する二値化ステップと、
上記二値化画像から、その一方の輝度の画像を取出して第２の画像を生成する画像取出ステップと、
上記第２の画像を加工して第３の画像を生成する画像加工ステップと、
上記撮影ステップによって別に撮影された第４の画像と、上記第３の画像とを合成して第５の画像を形成する画像形成ステップと
をコンピュータに実行させるためのプログラム。
【発明の詳細な説明】
【技術分野】
【０００１】
本発明は、自分の書いたコメントをカメラで撮影した写真と合成してより表現力のあるコメント付きの画像を得るための技術に関する。
【背景技術】
【０００２】
近年、プリクラに手書きの情報を入力して、多様な態様でコミュニケーションを図ろうとする文化、あるいは、種々の色彩のペンを用いて個性的な文字で表現してコミュニケーションを図ろうとする文化が広がりつつある。
【０００３】
パーソナルコンピュータ（ＰＣ）や携帯電話をはじめ多くのデジタル機器では、キーボードなどで画面に特定フォントの文字を入力して合成することが可能である。  
特許文献１には、映像信号を利用して二値化によりタイトルデータを作成する技術が開示されている。
【特許文献１】特許第３００８５３８号公報
【発明の開示】
【発明が解決しようとする課題】
【０００４】
しかしながら、ＰＣや携帯電話をはじめ多くのデジタル機器でタイトルを入力する場合には、キーボードその他の入力装置が必要で、かつ、入力可能な文字も特定の字体の文字に限られていた。  
また、特許文献１に記載の技術は、単にタイトルを作成することを目的とするものであり、画像の魅力をＵＰすることを目的とするものではなかった。
【０００５】
本発明はこのような事情に鑑みてなされたものであって、単純な構成で個性的なコメントを画像に書き込むことのできるカメラ、撮影方法及びプログラムを提供することを目的とする。  
【課題を解決するための手段】
【０００６】
上記課題を解決するための、本発明に係る請求項１に記載のカメラは、画像を撮影する撮影手段と、上記撮影手段によって撮影された第１の画像から二値化画像を生成する二値化手段と、上記二値化画像から、その一方の輝度の画像を取出して第２の画像を生成する画像取出手段と、上記第２の画像を加工して第３の画像を生成する画像加工手段と、上記撮影手段によって別に撮影された第４の画像と、上記第３の画像とを合成して第５の画像を形成する画像形成手段とを有する。
【０００７】
また本発明に係る請求項２に記載のカメラは、上記記載の発明であるカメラにおいて、上記画像加工手段は、上記第２の画像に色彩を付して上記第３の画像を生成する。
【０００８】
また本発明に係る請求項３に記載のカメラは、上記記載の発明であるカメラにおいて、上記二値化手段は、二値化のための閾値を切換える閾値切換手段を有し、上記閾値切換による二値化画像の生成操作をサポートする操作支援手段を更に有する。
【０００９】
また本発明に係る請求項４に記載のカメラは、上記記載の発明であるカメラにおいて、上記二値化画像から取出された一方の輝度の画像を、二値以外の色を用いて表示する表示制御手段を有する。
【００１０】
また本発明に係る請求項５に記載のカメラは、コメントを入力するコメント入力手段と、撮影の日時又は位置情報を記録可能な撮影手段と、上記コメントと撮影された画像とを合成する合成手段と、からなるカメラにおいて、上記コメントに関する情報を、上記合成された画像に関連付け、上記コメントから上記合成画像を検索可能とした検索手段を有する。
【００１１】
また本発明に係る請求項６に記載のカメラは、上記記載の発明であるカメラにおいて、上記検索手段は、上記コメントからの検索時には、そのコメントが合成されたもとの撮影画像と同じ条件で撮影された画像を上記撮影の日時又は位置情報に基づいて検索し、検索した画像を一覧表示可能とした。
【００１２】
また本発明に係る請求項７に記載の撮影方法は、画像を撮影する撮影ステップと、上記撮影ステップによって撮影された第１の画像から二値化画像を生成する二値化ステップと、上記二値化画像から、その一方の輝度の画像を取出して第２の画像を生成する画像取出ステップと、上記第２の画像を加工して第３の画像を生成する画像加工ステップと、上記撮影ステップによって別に撮影された第４の画像と、上記第３の画像とを合成して第５の画像を形成する画像形成ステップとを有する。
【００１３】
また本発明に係る請求項８に記載のプログラムは、画像を撮影する撮影ステップと、上記撮影ステップによって撮影された第１の画像から二値化画像を生成する二値化ステップと、上記二値化画像から、その一方の輝度の画像を取出して第２の画像を生成する画像取出ステップと、上記第２の画像を加工して第３の画像を生成する画像加工ステップと、上記撮影ステップによって別に撮影された第４の画像と、上記第３の画像とを合成して第５の画像を形成する画像形成ステップとをコンピュータに実行させる。
【発明の効果】
【００１４】
本発明によれば、単純な構成で個性的なコメントを画像に書き込むことができる。そのため、そのコメントの書き込まれた画像を交換することによって、人と人との交流を深めることができる。また、そのコメントに基づいて画像を検索することで、より効率的な画像検索が可能となる。
【発明を実施するための最良の形態】
【００１５】
［第１の実施の形態］
図１は、本発明の第１の実施の形態に係るカメラ１０のブロック図である。  
カメラ１０には、ＭＰＵ１、スイッチ１ａ〜１ｃ、撮影レンズ２、撮像素子３ａ、アナログフロントエンド（ＡＦＥ）回路３、計時部４、位置検出部４ａ、画像処理部５、合成処理部５ａ、ＲＡＭ６、メモリ７、表示部８及びＲＯＭ９が設けられている。
【００１６】
ＭＰＵ１は、マイクロコントローラ等からなる演算制御手段である。ＭＰＵ１は、カメラ１０内の各ブロックを制御して、撮影や再生の動作を実現する。スイッチ１ａ〜１ｃは、ユーザがカメラ１０を操作するための操作部材である。ユーザは、スイッチ１ａ〜１ｃを用いて、電源のＯＮ／ＯＦＦ、レリーズ、前述の撮影と再生、撮影モード切換などを操作することができる。
【００１７】
撮像素子３ａは、ＣＣＤやＣＭＯＳなどのセンサで、撮影レンズ２から入射した被写体１１の像を電気信号に変換する。ＡＦＥ３は、撮像素子３ａからアナログ画像信号を読み出し、デジタル画像信号に変換する。画像処理部５は、デジタル画像信号に対して、色補正や信号圧縮などの処理を実行する。メモリ７には、画像処理が施された画像データなどが記憶される。合成処理部５ａは、コメントと画像とを合成する。
【００１８】
計時部４は、撮影の日時を提供する他、露出時間の計時、所定タイミングの間隔測定に用いられる。位置検出部４ａはＧＰＳなどで構成され、撮影した場所・位置に関する情報を提供する。  
ＲＡＭ６は、上述の動作に必要な種々のデータを保存するバッファメモリである。表示部８は液晶などの表示デバイスである。表示部８には、撮像素子３ａからの画像信号が逐次再生されライブビューとして表示される。また、表示部８には、ユーザの操作に従ってメモリ７の中に記憶された圧縮画像データが伸張して表示される。ＲＯＭ９には、ＭＰＵ１で稼動するプログラムが保存されている。
【００１９】
次に、画像を合成する方法について説明する。  
図２に示すように、本実施の形態に係るカメラ１０を用いて、ユーザ１２は紙１３に描いた文字（コメント）１４を撮影する。
【００２０】
図３（ａ）は、合成しようとする写真画像を表し、図３（ｂ）は、ユーザが撮影した文字１４の画像を表している。しかし、図３（ｂ）の画像には、文字１４以外に、例えば影１４ａのようなものも含まれている。  
そこで、図３（ｃ）に示すように、輝度値の高い文字１４の部分のみを二値化して抽出する。なお、二値化した画像が、黒あるいは白のままの文字１４ではつまらない場合は、図３（ｄ）のように画像処理を行って文字１４に色をつけたり、濃淡をつけたりするように加工することが可能である。
【００２１】
図３（ｅ）は、このようにして抽出した文字１４と写真画像とを合成した画像である。なお、ユーザ１２は、二値化処理を行うための閾値(スレッシュレベル）を任意に変更することができる。また、ユーザ１２は、表示部８に表示される画像を見ながら上述の処理の状態を確認することができる。
【００２２】
上述の二値化処理と画像合成処理は、画像合成部５ａによって実行される。  
図４は、画像合成部５ａの構成を示すブロック図である。画像合成部５ａの構成と動作について図４を参照しつつ説明する。
【００２３】
スレッシュ切換部２４は、ユーザのスイッチ操作に対応して変更した二値化用のスレッシュレベル信号を二値化部２５に出力する。二値化部２５は、コメントが撮影された画像からスレッシュレベル信号を用いて二値化画像を生成し、画像加工部２６に出力する。
【００２４】
画像加工部２６は、不図示の操作部の操作で設定を指示することにより、二値化画像の色情報を指示された色情報に置換して二値化画像に着色したり、二値化画像の境界部領域（文字の場合は、輪郭に相当する領域）以外を他の階調の色に置換して濃淡をつけたりする。ここで、着色または他の階調の色への置換処理は周知の方法で行えば良い。
【００２５】
この二値化処理の状況、二値化処理の結果は表示部８でモニタすることができる。さらに、二値化データサムネイル化部２７が二値化した部分をサムネイル化してメモリ７に保存する。
【００２６】
また、合成部２８は、メモリ７に記録されている画像と、画像加工部２６で加工されたコメント画像とを合成する。合成部２８は、ユーザのスイッチ操作に応じて、合成する画像を選択し、合成するコメントのサイズ、合成する位置を調整する。この処理状況も表示部８に表示されるので、ユーザは、表示部８を見ながら操作を行うことができる。なお、ユーザのスイッチ操作に対応した動作は、主にＭＰＵ１を介して行われる。
【００２７】
続いて、本発明の実施の形態に係るカメラ１０の処理手順を図５乃至図１１を参照しつつ説明する。なお、以下に説明するカメラ１０の動作は、ＭＰＵ１がプログラムを実行し、関連あるブロックが動作することで実現される。
【００２８】
図５のステップＳ０１でＮｏの場合、即ち、カメラ１０が再生モードに無い場合は、ステップＳ０２で、レリーズボタンが押されるのを待機する。そして、ステップＳ０２でＹｅｓの場合、即ち、レリーズボタンが操作されたときは、ステップＳ０２以降の撮影シーケンスが実行される。
【００２９】
ステップＳ０３において合焦動作が実行される。ステップＳ０４において、図示せぬシャッターやストロボ等の制御によって露出制御が実行される。ステップＳ０５において、画像処理手段５がＡＦＥ３から入力されたデジタル画像データを処理して圧縮し、ステップＳ０６において、圧縮された画像データをメモリ７に記録する。更に、ステップＳ０７において、計時部４及び位置検出部４ａの出力を用いて撮影された日時や場所を算出して撮影した画像と共に記録する。
【００３０】
ステップＳ０１でＹｅｓの場合、即ち、カメラ１０が再生モードにある場合で、ステップＳ１１でＮｏの場合、即ち、合成処理を行わない場合には、上述のようにして記録された画像を表示部８に表示する。ユーザは記録された画像を鑑賞しあるいはコメント用の画像として二値化処理をすることができる。
【００３１】
図６は、画像の表示あるいは二値化処理を行う手順を示すフロー図である。  
図６のステップＳ２５において、表示部８に撮影画像を再生して表示する。撮影画像は、種々の形式で表示することができる。例えば、図８に示すように表示部８にサムネイル形式で一覧表示しても良く、また新しい撮影画像から順次表示しても良い。  
ユーザが見たい画像を選ぶ操作を行うと、ステップＳ２６にて、選択された画像が表示部８に表示される。
【００３２】
図６のステップＳ２７でＹｅｓの場合、即ち、ユーザが、選択された画像をコメントとして使用したいと考えるときには、所定のコメント画像化の操作を行う。そうすると、ステップＳ２８の二値化処理を実行する。
【００３３】
図９は、二値化処理を説明する図である。  
図９（ａ）は、撮影画像の輝度分布（一次元）を示す図である。縦軸は明るさ（輝度）を表し、横軸は位置を表している。撮影画像上、文字の部分が描かれている部分は黒いため、輝度が大きく低下している。それに対して、撮影画像上で影になっている部分は、やや輝度が低下している。そこで、スレッシュレベルを、文字の部分よりも明るく、影の部分よりも暗い位置に設定する。そして、図９（ｂ）に示すように、スレッシュレベルよりも輝度の高い部分を「１」、スレッシュレベルよりも輝度の低い部分を「０」として二値化（白黒表示）する。
【００３４】
ユーザは二値化された画像を表示部８で確認することができる。この時、二値化してはりつけられる部分は例えば赤色にする。白黒で表示した場合は、白又は黒のいずれの部分がコメントとして用いられるのかが不明だからである。ステップＳ２９でＮｏの場合、即ち、二値化された結果に不満足の場合は、ステップＳ３０において、スレッシュレベルを変更して、再度ステップＳ２７に戻って二値化処理を繰り返す。このとき、ステップＳ２７でＮｏの処理を選択し、途中でコメント画像化の処理を中止することもできる。  
ステップＳ２９でＹｅｓの場合、即ち、二値化された結果で満足する場合は、ステップＳ３１において、二値化した画像をコメント画像としてメモリ７に記録する。  
このようにコメント画像をメモリ７に記録した後は合成処理を実行することができる。
【００３５】
図５のステップS１１でＹｅｓの場合、即ち、ユーザが合成を行う操作を入力すると、図７に示す、合成処理手順を実行する。
【００３６】
図７のステップＳ１２において、ユーザの操作に応じて合成する写真画像を選択し、ステップＳ１３において、ユーザの操作に応じて合成するコメント画像を選択する。そして、ステップＳ１４において、二つの画像を一つの画像に合成する。  
ステップＳ１５〜Ｓ１８において、ユーザの操作に応じて、写真画像につけるコメントの位置、コメントのサイズ、色、濃淡パターンを調整する。ユーザは、カメラ１０のズームスイッチやレリーズスイッチやモード切換スイッチ等を用いてこの操作を行うことができる。また、ユーザは、カメラ１０に設けられたグラフィカルユーザインターフェース（ＧＵＩ）を利用して表示部８の表示を見ながら調整を行うことができる。
【００３７】
ステップＳ２１でＹｅｓの場合、即ち、気に入った合成画像ができあがれば、ステップＳ２２において、合成した画像をメモリ７に記録する。そして、ステップＳ２３において、コメント画像をその合成画像に関連付けて記録する。
【００３８】
コメント画像を合成画像に関連付けて記憶することにより、コメント画像を利用した検索が可能となる。  
図１０は、コメント画像を利用した検索処理手順を示すフロー図である。
【００３９】
図１０のステップＳ４１において、ユーザが検索操作を入力すると、図１１（ａ）のコメント一覧が表示部８に表示される。ステップＳ４２において、ユーザが所望のコメントを選択すると、ステップＳ４３において、そのコメントに関連付けられた合成画像を検索する。
【００４０】
続いて、ステップＳ４４において、検索した合成画像に付与されている位置情報を取出し、ステップＳ４５において、その位置情報と同一又は近似した位置情報をもつ画像を検索して一覧表示する。図１１（ｂ）は、一覧表示された画像を示している。  
ステップＳ４６でＹｅｓの場合、即ち、ユーザが一覧表示画像の中から、任意の画像を選択すると、ステップＳ４７において、図１１（ｃ）に示すように、その画像が拡大表示される。なお、ユーザはステップＳ４８でＹｅｓの場合、即ち、選択を行わずに検索処理を終了することもできる。  
また、位置情報に代えて日時情報を用いても良く、位置情報と日時情報とを組合わせた情報を用いても良い。
【００４１】
〔第２の実施の形態〕  
本発明の第２の実施の形態では、撮影時において二値化処理を行ってコメント画像を作成する点が第１の実施の形態と異なっている。従って、第１の実施の形態と同一の部位には同一の符号を付してその詳細の説明は省略する。
【００４２】
図１２は、コメント画像を生成する処理手順を示すフロー図である。  
ユーザがコメント画像の撮影を開始すると、ステップＳ５１、Ｓ５２において、撮影画像を二値化処理して、処理した画像を表示部８に表示する。  
ステップＳ５３でＮｏの場合、即ち、ユーザが二値化処理した結果に不満足なときは、ステップＳ５４において、露出時間あるいは露出補正を変更して、再度ステップＳ５１からの処理を実行する。
【００４３】
図１３（ａ）は、最初の二値化処理に係る撮影画像の輝度分布（一次元）とスレッシュレベルとの関係を示し、図１３（ｃ）は、最初の二値化処理結果を表している。最初の二値化処理ではスレッシュレベルが適切でないため、影がノイズとなってコメント画像に混入している。  
図１３（ｂ）は、二回目の二値化処理に係る撮影画像の輝度分布（一次元）とスレッシュレベルとの関係を示し、図１３（ｄ）は、二回目の二値化処理結果を表している。二回目の二値化処理では、スレッシュレベルを変更するのではなく、露出時間を長くするように変更している。その結果、撮影画像の輝度が増加して、影の影響を受けない適切な二値化画像を得ることができている。
【００４４】
ステップＳ５３でＹｅｓの場合、即ち、ユーザが二値化処理した結果に満足なときは、ステップＳ５５において、得られたコメント画像をメモリ７に保存する。  
以降の処理は、第１の実施の形態と同様であるため、その詳細の説明は省略する。  
なお、露出を変更する手段については、現在のカメラが通常有している露出補正手段に限定されない。同様の結果を得ることができるものであれば、他の操作手段を利用しても良い。
【００４５】
〔各実施の形態の効果〕  
以上説明した各実施の形態によれば、種々の効果を奏する事ができる。
【００４６】
（１）本実施の形態のカメラによれば、キーボードやマウスなどの特別な装置を要しない単純な構成のままで、個性的な筆跡の文字、手書きした図形を用いた画像を合成することができる。  
ユーザは、自分の感性を考慮して、いろいろな変化をつけた楽しい画像を作ることができる。そして、このような画像をもらった人は、ユーザの筆跡からユーザの気持ちを読みとる事ができる。このため、心のこもったコミュニケーションが可能となる。
【００４７】
（２）コメント画像の生成においては、スレッシュレベルをいろいろと変えられるので、多少のよごれや影などはキャンセルして、自分の思いどおりの部分をコメント画像化する事ができる。
【００４８】
（３）またコメント化された部分は、白黒表示ではなく例えば赤色で表示すれば簡単にモニタ上でその部分を確認把握することができる。白黒だけだと、白と黒のどちらが採用されるのか不明となりやすい。
【００４９】
（４）さらに、書き込んだコメントによって、それを合成した画像のみならず、それと同じ情報（位置情報、日時情報など）を持つ画像を一覧表示するような応用も可能である。例えば、コメント一覧を表示し、その中からユーザが所定コメントを選択すると、表示部にはそのコメントを合成した画像を表示するのみならず、その日、その場所で撮影した画像も一覧表示する。コメントを書き込むようなシーンは、ユーザにとって大切な思い出のシーンであると考えられるので、このように構成すれば、いつでもこの時の思い出を迅速に見つけることができる。  
また、画像そのものを表示することに比べると、二値化されたデータははるかに少ないメモリ容量ですむので高速の表示や切りかえが可能となる。
【００５０】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００５１】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００５２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５３】
【図１】本発明の第１の実施の形態に係るカメラのブロック図。
【図２】画像を合成する方法について説明する図。
【図３】画像を合成する方法について説明する図。
【図４】画像合成部の構成を示すブロック図。
【図５】撮影シーケンス処理手順を示すフロー図。
【図６】画像の表示あるいは二値化処理を行う手順を示すフロー図。
【図７】合成処理手順を示すフロー図。
【図８】サムネイル形式での一覧表示を示す図。
【図９】二値化処理を説明する図。
【図１０】コメント画像を利用した検索処理手順を示すフロー図。
【図１１】コメント画像を利用した検索処理画面を示す図。
【図１２】コメント画像を生成する処理手順を示すフロー図。
【図１３】撮影画像の輝度分布と二値化処理結果を示す図。
【符号の説明】
【００５４】
１…ＭＰＵ、３…撮像素子、４…計時部、４ａ…位置検出部、５…画像処理部、５ａ…合成処理部、８…表示部、１０…カメラ、２４…スレッシュ切換部、２５…二値化部、２６…画像加工部、２７…二値化データサムネイル化部、２８…合成部。
【図１】
2007142564.tif 000003
【図２】
2007142564.tif 000004
【図３】
2007142564.tif 000005
【図４】
2007142564.tif 000006
【図５】
2007142564.tif 000007
【図６】
2007142564.tif 000008
【図７】
2007142564.tif 000009
【図８】
2007142564.tif 000010
【図９】
2007142564.tif 000011
【図１０】
2007142564.tif 000012
【図１１】
2007142564.tif 000013
【図１２】
2007142564.tif 000014
【図１３】
2007142564.tif 000015